(57)【要約】  照明装置は、ハウジング、ハウジングに結合されるべく構成されたランプ取付具、ランプ取付具から延長してハウジング内に受けられるべく構成された要素、要素を受けるためのアパーチャを定義するシーリング部材を含んでいる。アパーチャの周囲が、要素の周りにおいて液密シーリングを形成している。別の態様においては、照明装置は、ハウジングと、ハウジングに結合され、内部空間を定めるべく構成されたエンクロージャと、を含んでおり、この場合に、内部空間は、ハウジングの内部からシーリングされている。別の態様においては、照明装置をシーリングする方法は、ハウジング、ハウジングに結合されたエンクロージャ、及びエンクロージャと連通するハウジング内の開口部を提供する段階と、ハウジングとエンクロージャの間にシーリングを配置する段階と、開口部にシーリング部材を施して開口部をシーリングする段階と、を含んでいる。【選択図】図１
2008507089.tif 000002
【特許請求の範囲】
【請求項１】
ハウジングと、
前記ハウジングに結合されるべく構成されたランプ取付具と、
前記ランプ取付具から延長して前記ハウジング内に受けられるべく構成された要素と、
前記要素の周りにアパーチャの周囲によって液密シーリングが形成されるように、前記アパーチャを貫通する前記要素を受けるための前記アパーチャを定めるシーリング部材と、
を有する照明装置。
【請求項２】
前記アパーチャの前記周囲は、圧力を前記要素の周りに印加することによって前記要素の周りに液密シーリングを形成する請求項１記載の照明装置。
【請求項３】
前記シーリング部材は、前記ランプ取付具と前記ハウジングの間に介在している請求項１記載の照明装置。
【請求項４】
前記シーリング部材は、第２要素の周りに液密シーリングを提供する第２アパーチャを定める請求項１記載の照明装置。
【請求項５】
前記要素は、前記ランプ取付具を前記ハウジングに対して装着する留め具を有する請求項１記載の照明装置。
【請求項６】
前記留め具は、ネジを有する請求項５記載の照明装置。
【請求項７】
前記要素は、電気エネルギーを前記ランプに供給するワイヤを有する請求項１記載の照明装置。
【請求項８】
前記アパーチャの前記周囲の周りに、シーラントを更に有する請求項１記載の照明装置。
【請求項９】
前記シーラントは、ＲＴＶを有する請求項８記載の照明装置。
【請求項１０】
前記シーラントは、ＨＴＶを有する請求項８記載の照明装置。
【請求項１１】
前記ハウジングに結合されたエンクロージャを更に有しており、前記エンクロージャの周囲は前記ランプを取り囲んでいる請求項１記載の照明装置。
【請求項１２】
前記エンクロージャと前記ハウジングの間に介在しており、前記エンクロージャと前記ハウジングの間の接合面において液密シーリングを提供するエンクロージャシーリング部材を更に有する請求項１１記載の照明装置。
【請求項１３】
前記エンクロージャシーリング部材を前記ハウジングに装着するための装着部材を更に有する請求項１２記載の照明装置。
【請求項１４】
前記装着部材は、クリップを有する請求項１３記載の照明装置。
【請求項１５】
前記ハウジングは、前記装着部材を収容する孔を定める請求項１３記載の照明装置。
【請求項１６】
前記装着部材と前記ハウジングの間の接合面に施されたシーラントを更に有する請求項１４記載の照明装置。
【請求項１７】
ハウジングと、
前記ハウジングに結合され、内部空間を定めるべく構成されたエンクロージャと、
を有し、
この内部空間が、前記ハウジングの内部からシーリングされている照明装置。
【請求項１８】
前記ハウジングは、前記内部空間と連通する開口部を定める請求項１７記載の照明装置。
【請求項１９】
前記開口部と前記ハウジングの間の接合面に配設されており、前記ハウジングの前記内部から前記内部空間をシーリングするシーリング部材を更に有する請求項１８記載の照明装置。
【請求項２０】
前記シーリング部材は、ガスケットを有する請求項１９記載の照明装置。
【請求項２１】
前記開口部を貫通している要素を更に有する請求項１９記載の照明装置。
【請求項２２】
前記シーリング部材は、前記要素の周りをシーリングするべく構成されている請求項２１記載の照明装置。
【請求項２３】
前記エンクロージャの前記内部空間内に、前記要素に結合されたランプ取付具を更に有する請求項２１記載の照明装置。
【請求項２４】
前記シーリング部材は、前記ランプ取付具と前記ハウジングの間に配設されている請求項２３記載の照明装置。
【請求項２５】
前記要素は、ワイヤを有する請求項２３記載の照明装置。
【請求項２６】
前記要素は、前記ランプ取付具を前記ハウジングに装着するための留め具を有する請求項２３記載の照明装置。
【請求項２７】
前記留め具は、ネジを有する請求項２６記載の照明装置。
【請求項２８】
前記内部空間を外部環境からシーリングするべく、前記エンクロージャと前記ハウジングの間の接合面にエンクロージャシーリング部材を更に有する請求項１７記載の照明装置。
【請求項２９】
前記ハウジングは、開口部を定義しており、前記エンクロージングシーリング部材は、前記開口部内に収容された装着部材に結合されている請求項２８記載の照明装置。
【請求項３０】
前記エンクロージャの前記内部空間を前記ハウジングの前記内部からシーリングするべく、前記装着部材と前記ハウジングの間の接合面にシーラントを更に有する請求項２９記載の照明装置。
【請求項３１】
前記エンクロージャの前記内部空間を前記ハウジングの前記内部からシーリングするべく、前記装着部材と前記エンクロージャシーリング部材の間の接合面にシーラントを更に有する請求項２９記載の照明装置。
【請求項３２】
照明装置をシーリングする方法において、
ハウジング、前記ハウジングに結合されたエンクロージャ、及び前記エンクロージャと連通する前記ハウジング内の開口部を提供する段階と、
前記ハウジングと前記エンクロージャの間にシーリングを配置する段階と、
シーリング部材を前記開口部に適用して前記開口部をシーリングする段階と、
を有する方法。
【発明の詳細な説明】
【技術分野】
【０００１】
本発明は、照明装置に関するものである。
【背景技術】
【０００２】
照明装置は、（例えば、Ｃｌａｓｓ  １、Ｄｉｖｉｓｉｏｎ  ２、及びＺｏｎｅ  ２区域としての定格を有する区域などの）爆発性の気体及び蒸気を含む領域を包含する多くの領域において使用されている。照明装置は、通常、ハウジング、ハウジングに装着されたランプ、並びに、ハウジングに装着されてランプを取り囲む透明又は半透明のエンクロージャを含んでいる。気体及び蒸気が、ハウジングの外部及び内部壁の隙間を通じてハウジング及びエンクロージャ内に侵入可能である。又、ランプの熱がハウジングの内部に移動することもある。ユーザーは、多くの場合に、ハウジングの外部壁の隙間にシーラントを施すことにより、気体及び蒸気がハウジング及びエンクロージャ内に侵入することを防止している。
【発明の開示】
【０００３】
一態様においては、照明装置は、ハウジング、ハウジングに結合されるべく構成されたランプ取付具、ランプ取付具から延長しかつハウジング内に受けられるべく構成された要素、並びに、アパーチャを定義するシーリング部材を含んでおり、このアパーチャはこれを貫通する上記要素を受ける。アパーチャの周囲が、要素の周りに液密シーリングを形成している。
【０００４】
実装する際には、以下の特徴の中の１つ又は複数のものを包含可能である。例えば、アパーチャの周囲が、要素の周りに圧力を印加することによって要素の周りに液密シーリングを形成可能である。シーリング部材が、ランプ取付具とハウジングの間に介在可能であり、且つ、第２要素の周りに液密シーリングを提供するための第２アパーチャを定義可能である。要素は、ランプ取付具をハウジングに装着する留め具（例えば、ネジ）又は電気エネルギーをランプに供給するワイヤを包含可能である。ＲＴＶ（Ｒｏｏｍ−Ｔｅｍｐｅｒａｔｕｒｅ  Ｖｕｌｃａｎｉｚｅｄ  ｒｕｂｂｅｒ）又はＨＴＶ（Ｈｉｇｈｔ−Ｔｅｍｐｅｒａｔｕｒｅ  Ｖｕｌｃａｎｉｚｅｄ  ｒｕｂｂｅｒ）などのシーラントをアパーチャの周囲に施すことができる。
【０００５】
ランプがエンクロージャの周囲によって取り囲まれるように、エンクロージャをハウジングに結合可能である。エンクロージャシーリング部材が、エンクロージャとハウジングの間に介在することにより、エンクロージャとハウジングの間の接合面に液密シーリングを提供可能である。エンクロージャシーリング部材をハウジングに装着するべく装着部材（例えば、クリップ）を使用可能であり、ハウジングは、装着部材を収容するべく孔を定義可能である。装着部材とハウジングの間の接合面にシーラントを施すことができる。
【０００６】
別の態様においては、照明装置は、ハウジングと、ハウジングに結合され、内部空間を定めるべく構成されたエンクロージャと、を含んでいる。内部空間は、ハウジングの内部からシーリングされている。
【０００７】
実装する際には、以下の特徴の中の１つ又は複数のものを包含可能である。例えば、ハウジングは、内部空間と連通する開口部を定めるものでよく、ガスケットなどのシーリング部材を開口部とハウジングの間の接合面に配設することにより、ハウジングの内部から内部空間をシーリング可能である。照明装置は、開口部を貫通する要素を包含可能であり、要素の周りをシーリングするべくシーリング部材を構成可能である。照明装置は、エンクロージャの内部空間内に、要素に結合されたランプ取付具を包含可能であり、ランプ取付具とハウジングの間にシーリング部材を配設可能である。要素は、ランプ取付具をハウジングに装着するべく、ワイヤ又は（例えば、ネジなどの）留め具を包含可能である。
【０００８】
照明装置は、エンクロージャとハウジングの間の接合面にエンクロージャシーリング部材を包含することにより、外部環境から内部空間をシーリング可能である。ハウジングは、開口部を定めるものでよく、開口部内に受けられた装着部材にエンクロージングシーリング部材を結合可能である。ＲＴＶ又はＨＴＶなどのシーラントを装着部材とハウジングの間の接合面に配置することにより、ハウジングの内部からエンクロージャの内部空間をシーリング可能である。又、ＲＴＶ又はＨＴＶなどのシーラントを装着部材とエンクロージャシーリング部材の間の接合面に配置することにより、ハウジングの内部からエンクロージャの内部空間をシーリングすることも可能である。
【０００９】
別の態様においては、照明装置をシーリングする方法は、ハウジング、ハウジングに結合されたエンクロージャ、及びエンクロージャと連通するハウジング内の開口部を提供する段階を含んでいる。ハウジングとエンクロージャの間にシーリングを配置しており、シーリング部材を開口部に施して開口部をシーリングしている。
【００１０】
添付の図面と以下の説明には、１つ又は複数の実装の詳細が示されている。その他の特徴及び利点については、以下の説明及び添付の図面、並びに、添付の請求項から明らかとなろう。
【発明を実施するための最良の形態】
【００１１】
図１、図２Ａ、及び図２Ｂを参照すれば、照明装置１００は、ハウジング１０と、ネジ山１１によってハウジング１０に着脱自在に結合され内部空間８０を定めるエンクロージャ３０と、を含んでいる。ランプ３４は、ハウジング１０から延長しておりエンクロージャ３０内に封入されている。又、照明装置１００は、ハウジング１０に結合されると共に電気をランプ３４に伝達するワイヤ１６を収容している電線管２３をも含んでいる。気体又は蒸気は、電線管２３と、電線管２３とハウジング１０の間の接合部２２の空間と、を通じてハウジング１０の内部８２に潜在的に侵入可能である。
【００１２】
又、図３を参照すれば、ランプ３４は、ハウジング１０の凹部２４内に収容されたランプ取付具１４によってハウジング１０に装着されている。ランプ取付具１４は、本体９、ランプ３４に電気エネルギーを供給するべく本体９から延長しているワイヤ１６、及びランプ取付具１４をハウジング１０に装着するべく本体９から延長している（例えば、ネジ１８）などの留め具を含んでいる。ハウジング１０は、ワイヤ１６及びネジ１８を受ける孔１５を定める。孔１５は、気体と蒸気がエンクロージャ３０の内部空間８０とハウジング１０の内部８２の間を往来可能な潜在的な経路を提供している。
【００１３】
又、図４及び図５を参照すれば、ハウジング１０とランプ取付具１４の間の凹部２４内に、ガスケット１２の形態のシーリング部材を配設しており、ハウジング１０とランプ取付具１４の間に液密シーリングを提供している。このシーリングにより、気体及び蒸気が孔１５を通じてエンクロージャ３０の内部空間８０に侵入することを妨げている。ガスケット１２は、例えば、シリコンゴムから構成されている。ガスケット１２は、本体１９を具備しており、これはネジアパーチャ５０を定める。そして、ネジアパーチャ５０はそれを貫通するネジ１８を受ける。それぞれのネジアパーチャ５０は、その周囲５４がネジ１８の周りに圧力を印加することによって周囲５４がネジ１８の周りに液密シーリングを形成するように構成されている。更には、ガスケット１２には、ワイヤアパーチャ５２も定められる。そして、ワイヤアパーチャ５２はそれを貫通するワイヤ１６を受ける。それぞれのワイヤアパーチャ５２は、その周囲５６がワイヤ１６の周りに圧力を印加することによってワイヤ１６の周りに周囲５６が液密シーリングが形成するように構成されている。又、この圧力は、ワイヤ１６内における（即ち、ワイヤ１６の外部絶縁体と内部導体の間における）気体の流れを低減又は除去する機能をも果たしている。周囲５４及び５６の周りに（ＲＴＶ又はＨＴＶなどの）シーラント２１を施すことにより、ネジアパーチャ５０とワイヤアパーチャ５２をさらにシーリングすることも可能である。ランプ取付具１４は、ナット２６をネジ１８に捩じ込むことによってハウジング１０に固定されている。追加のシーラント２５をワイヤ１６及びネジ１８の周りのハウジング１０の内部８２に施すことにより、気体及び蒸気がエンクロージャ３０内に侵入することをさらに妨げることができる。
【００１４】
図２Ａ、図２Ｂ、及び図６を参照すれば、エンクロージャ３０とハウジング１０の間の接合部３１において、エンクロージャ３０は、エンクロージャ３０とハウジング１０の間に介在しているガスケット１３の形態のエンクロージャシーリング部材に当接している。ガスケット１３は、エンクロージャ３０とハウジング１０の間の接合面に液密シーリングを提供しており、この結果、気体及び蒸気が接合部３１を通じてエンクロージャ３０に侵入することが妨げられている。
【００１５】
ハウジング１０は、ガスケット１３をハウジング１０に装着するクリップ２０の形態の装着部材を受けるための孔１７を定める。ガスケット１３は、クリップアパーチャ６０を定め、クリップアパーチャ６０はそれを貫通するクリップ２０を受ける。孔１７及びクリップアパーチャ６０は、気体及び蒸気がエンクロージャ３０とハウジング１０の間を往来可能な潜在的な経路を提供している。ＲＴＶ又はＨＴＶなどのシーラント２７をクリップアパーチャ６０とクリップ２０の内部部分の間の接合面に施すことにより、気体がアパーチャ６０を通じてエンクロージャ３０内に侵入することを妨げている。ＲＴＶ又はＨＴＶなどのシーラント２９をクリップ２０の外部部分７２（図６）と孔１７の間の接合面に施して液密シーリングを形成することにより、気体及び蒸気が孔１７を通じてエンクロージャ３０内に侵入することを妨げている。
【００１６】
ガスケット１２、シーラント２１、２５、２７、及び２９、及びエンクロージャシーリング部材１３は、個別且つ集合的に、気体又は蒸気が、それぞれ、孔１５、孔１７、及び接合部３１を通じてエンクロージャ３０内に侵入することを妨げている。この結果、ランプ取付具１４又はランプ３４による気体又は蒸気の発火の可能性が低減されている。又、ハウジング１０内においてＴ３の温度定格を提供できるように、エンクロージャ３０からハウジング１０への熱の伝導を妨げている。一般に、Ｔ３の温度定格に適合するには、露出表面が、２００℃を超過する表面温度となってはならない。又、この結果、電線管の差込口２２にシーラントを施す必要性も低下している。例えば、この結果、Ｔ３の定格に適合するべく従来のシステムにおいて必要とされているワイヤと電線管の内部壁の間の領域をシーリングするためのインストーラによる電線管ライン内へのシーリング注入の必要性が低下している。
【００１７】
以上、いくつかの実装について説明したが、様々な変更を実施可能であることを理解されたい。例えば、ガスケットは、正方形、三角形、又は六角形などの異なる形状を具備可能である。ガスケットは、天然ゴム、再生ゴム、合成ゴム、及びゴム状材料の加硫エラストマー材料などのその他の材料の単独又は組み合わせから製造可能である。シーラントは、流動可能なエポキシシーリング材料、エポキシパテシーリング材料、及びエラストマーシーリング材料などのその他のタイプのシーラントから構成可能である。更には、ガスケットは、ハウジングとランプ取付具の間に配置する代わりに、ハウジングの内部に配置することも可能である。ランプ取付具は、異なる数のワイヤ及び／又は留め具を具備可能であり、ガスケットは、ワイヤ及び／又は留め具を収容するべく、対応した数のアパーチャを具備可能である。ランプ取付具は、爪、クリップ、留め金、又は接着剤などのネジ以外の留め具を包含可能である。ネジ、爪、留め金、又は接着剤などのクリップ以外の装着部材により、エンクロージャシーリング部材をハウジングに装着可能である。シーリング部材は、気体及び蒸気以外の物質がエンクロージャ内に侵入することを妨げることも可能である。これら及びその他の実装は、添付の請求項の範囲内に含まれている。
【図面の簡単な説明】
【００１８】
【図１】照明装置の斜視図である。
【図２Ａ】図１の照明装置の断面図である。
【図２Ｂ】図２Ａのランプ取付具とハウジングの間の接合面の拡大図である。
【図３】図２に示されている照明装置のランプ取付具の側面図である。
【図４】図２に示されている照明装置のシーリング部材の平面図である。
【図５】ランプ取付具とシーリング部材の斜視図である。
【図６】図２に示されている照明装置のエンクロージャシーリング部材の平面図である。
【図１】
2008507089.tif 000003
【図２Ａ】
2008507089.tif 000004
【図２Ｂ】
2008507089.tif 000005
【図３】
2008507089.tif 000006
【図４】
2008507089.tif 000007
【図５】
2008507089.tif 000008
【図６】
2008507089.tif 000009
【手続補正書】
【提出日】平成19年3月16日(2007.3.16)
【手続補正１】
【補正対象書類名】特許請求の範囲
【補正対象項目名】請求項２９
【補正方法】変更
【補正の内容】
【請求項２９】
前記ハウジングは、開口部を定義しており、前記エンクロージャシーリング部材は、前記開口部内に収容された装着部材に結合されている請求項２８記載の照明装置。
【国際調査報告】
2008507089.tif 000010
2008507089.tif 000011